【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
デバイスツーデバイス（Ｄ２Ｄ）近接サービス通信のために構成された１つまたは複数の周波数帯域を識別することと、
前記識別された１つまたは複数の周波数帯域に基づいて、前記識別された１つまたは複数の周波数帯域に関連する通信能力を示す近接サービス記録を、周波数帯域組合せパラメータに少なくとも部分的に基づいて、決定することであって、前記周波数帯域組合せパラメータは非Ｄ２Ｄ通信のために利用可能な１つまたは複数の周波数帯域の組合せに関連し、ここにおいて、前記近接サービス記録は、Ｄ２Ｄ近接サービス通信がアクティブであるときに利用可能な非Ｄ２Ｄ通信機能を示す、決定することと、
サービングセルに前記近接サービス記録を送信することとを備える、ワイヤレス通信のための方法。
【請求項２】
前記識別された１つまたは複数の周波数帯域に基づいて、近接サービス周波数帯域リストを決定することと、
サービングセルに、前記近接サービス周波数帯域リストを示す情報を備える近接サービス能力記録を送ることとをさらに備える、請求項１に記載の方法。
【請求項３】
前記近接サービス能力記録を決定することは、
Ｄ２Ｄ近接サービス通信に関連する１つまたは複数の近接サービス通信パラメータを決定することをさらに備える、請求項２に記載の方法。
【請求項４】
前記１つまたは複数の近接サービスパラメータが、Ｄ２Ｄ発見タイプ能力、非同期Ｄ２Ｄ発見能力、カバレージ外発見能力、Ｄ２Ｄ通信モード能力、あるいはそれらの組合せのうちの１つまたは複数を備えると決定することをさらに備える、請求項３に記載の方法。
【請求項５】
前記近接サービス記録を決定することは、
前記周波数帯域組合せパラメータを使用して前記非Ｄ２Ｄ通信のための第１の能力構成を決定することと、
前記識別された１つまたは複数の周波数帯域に基づいて、前記非Ｄ２Ｄ通信のための第２の能力構成を決定することとを備える、請求項１に記載の方法。
【請求項６】
前記第２の能力構成を決定することは、
前記識別された１つまたは複数の周波数帯域について、前記周波数帯域組合せパラメータについての能力低減記録を決定することを備える、請求項５に記載の方法。
【請求項７】
前記能力低減記録は、前記識別された１つまたは複数の周波数帯域のうちの少なくとも１つがＤ２Ｄ近接サービス通信のために使用されるときの低減された非Ｄ２Ｄ通信能力を示す情報を備える、請求項６に記載の方法。
【請求項８】
前記能力低減記録は、同時Ｄ２Ｄおよび非Ｄ２Ｄ送信能力インジケータ、同時Ｄ２Ｄおよび非Ｄ２Ｄ受信能力インジケータ、隣接帯域内アップリンク帯域幅低減インジケータ、隣接帯域内ダウンリンク帯域幅低減インジケータ、測定能力インジケータ、あるいはそれらの組合せのうちの１つまたは複数を備える、請求項６に記載の方法。
【請求項９】
サービングセルに、Ｄ２Ｄ近接サービスがアクティブであることを示す情報を含む開始メッセージを送ることをさらに備える、請求項１に記載の方法。
【請求項１０】
前記開始メッセージは、前記周波数帯域組合せパラメータについての更新された近接サービス記録をさらに備え、前記更新された近接サービス記録は、前記アクティブなＤ２Ｄ近接サービス通信のために使用される前記識別された１つまたは複数の周波数帯域に基づく、請求項９に記載の方法。
【請求項１１】
Ｄ２Ｄ近接サービスがアクティブであることに基づいて、非Ｄ２Ｄ通信のための低減された能力を決定することをさらに備える、請求項９に記載の方法。
【請求項１２】
前記サービングセルから、非Ｄ２Ｄ通信のための前記低減された能力のために利用するためのリソースの指示を備える無線リソース制御（ＲＲＣ）接続再構成メッセージを受信することをさらに備える、請求項１１に記載の方法。
【請求項１３】
ＲＲＣ接続再構成プロシージャ中の所定の時間期間の間、非Ｄ２Ｄ通信を休止することをさらに備える、請求項１２に記載の方法。
【請求項１４】
Ｄ２Ｄ近接サービス通信に関連するリソースのプールが与えられたとき、Ｄ２Ｄ近接サービスがアクティブであることに基づいて、非Ｄ２Ｄ通信のための低減された能力構成を決定することをさらに備える、請求項９に記載の方法。
【請求項１５】
無線周波数同調動作を行うために、所定の時間期間の間、非Ｄ２Ｄ通信を休止すること、ここにおいて、前記休止することは、Ｄ２Ｄ近接サービス通信のためのリソースの前記プールにアクセスする前および後に行われる、をさらに備える、請求項１４に記載の方法。
【請求項１６】
サービングセルに、Ｄ２Ｄ近接サービスが非アクティブであることを示す情報を含む停止メッセージを送ることをさらに備える、請求項１に記載の方法。
【請求項１７】
前記停止メッセージは、前記周波数帯域組合せパラメータについての更新された近接サービス記録をさらに備え、前記更新された近接サービス記録は、前記非アクティブなＤ２Ｄ近接サービス通信により利用可能である前記識別された１つまたは複数の周波数帯域に基づく、請求項１６に記載の方法。
【請求項１８】
Ｄ２Ｄ近接サービスが非アクティブであることに基づいて、Ｄ２Ｄ近接サービス通信のための完全能力構成を決定することをさらに備える、請求項１６に記の方法。
【請求項１９】
前記非Ｄ２Ｄ通信は、キャリアアグリゲーション通信を備える、請求項１に記載の方法。
【請求項２０】
プロセッサと、
前記プロセッサと電子通信しているメモリと、
前記メモリに記憶されている命令とを備え、前記命令は、
デバイスツーデバイス（Ｄ２Ｄ）近接サービス通信のために構成された１つまたは複数の周波数帯域を識別することと、
前記識別された１つまたは複数の周波数帯域に基づいて、前記識別された１つまたは複数の周波数帯域に関連する通信能力を示す近接サービス記録を、周波数帯域組合せパラメータに少なくとも部分的に基づいて、決定することであって、前記周波数帯域組合せパラメータが非Ｄ２Ｄ通信のために利用可能な１つまたは複数の周波数帯域の組合せに関連し、ここにおいて、前記近接サービス記録は、Ｄ２Ｄ近接サービス通信がアクティブであるときに利用可能な非Ｄ２Ｄ通信機能を示す、決定することと、
サービングセルに前記近接サービス記録を送信することとを行うように前記プロセッサによって実行可能である、ワイヤレス通信のための装置。
【請求項２１】
前記識別された１つまたは複数の周波数帯域に基づいて、近接サービス周波数帯域リストを決定することと、
サービングセルに、前記近接サービス周波数帯域リストを示す情報を備える近接サービス能力記録を送ることとを行うように前記プロセッサによって実行可能な命令をさらに備える、請求項２０に記載の装置。
【請求項２２】
前記近接サービス能力記録を決定するように実行可能な前記命令は、
Ｄ２Ｄ近接サービス通信に関連する１つまたは複数の近接サービス通信パラメータを決定することを行うようにさらに実行可能である、請求項２１に記載の装置。
【請求項２３】
前記１つまたは複数の近接サービスパラメータは、Ｄ２Ｄ発見タイプ能力、非同期Ｄ２Ｄ発見能力、カバレージ外発見能力、Ｄ２Ｄ通信モード能力、あるいはそれらの組合せのうちの１つまたは複数を備える、請求項２２に記載の装置。
【請求項２４】
前記近接サービス記録を決定するように実行可能な前記命令は、
前記周波数帯域組合せパラメータを使用して前記非Ｄ２Ｄ通信のための第１の能力構成を決定することと、
前記識別された１つまたは複数の周波数帯域に基づいて、前記非Ｄ２Ｄ通信のための第２の能力構成を決定することとを行うようにさらに実行可能である、請求項２０に記載の装置。
【請求項２５】
前記第２の能力構成を決定するように実行可能な前記命令は、
前記識別された１つまたは複数の周波数帯域について、前記周波数帯域組合せパラメータについての能力低減記録を決定することを行うようにさらに実行可能である、請求項２４に記載の装置。
【請求項２６】
前記能力低減記録は、前記識別された１つまたは複数の周波数帯域のうちの少なくとも１つがＤ２Ｄ近接サービス通信のために使用されるときの低減された非Ｄ２Ｄ通信能力を示す情報を備える、請求項２５に記載の装置。
【請求項２７】
前記能力低減記録は、同時Ｄ２Ｄおよび非Ｄ２Ｄ送信能力インジケータ、同時Ｄ２Ｄおよび非Ｄ２Ｄ受信能力インジケータ、隣接帯域内アップリンク帯域幅低減インジケータ、隣接帯域内ダウンリンク帯域幅低減インジケータ、測定能力インジケータ、あるいはそれらの組合せのうちの１つまたは複数を備える、請求項２５に記載の装置。
【請求項２８】
サービングセルに、Ｄ２Ｄ近接サービスがアクティブであることを示す情報を含む開始メッセージを送ることを行うように前記プロセッサによって実行可能な命令をさらに備える、請求項２０に記載の装置。
【請求項２９】
デバイスツーデバイス（Ｄ２Ｄ）近接サービス通信のために構成された１つまたは複数の周波数帯域を識別するための手段と、
前記識別された１つまたは複数の周波数帯域に基づいて、前記識別された１つまたは複数の周波数帯域に関連する通信能力を示す近接サービス記録を、周波数帯域組合せパラメータに少なくとも部分的に基づいて、決定するための手段であって、前記周波数帯域組合せパラメータは非Ｄ２Ｄ通信のために利用可能な１つまたは複数の周波数帯域の組合せに関連し、ここにおいて、前記近接サービス記録は、Ｄ２Ｄ近接サービス通信がアクティブであるときに利用可能な非Ｄ２Ｄ通信機能を示す、決定するための手段と、
サービングセルに前記近接サービス記録を送信するための手段とを備える、ワイヤレス通信のための装置。
【請求項３０】
前記識別された１つまたは複数の周波数帯域に基づいて、近接サービス周波数帯域リストを決定するための手段と、
サービングセルに、前記近接サービス周波数帯域リストを示す情報を備える近接サービス能力記録を送るための手段とをさらに備える、請求項２９に記載の装置。
【請求項３１】
前記近接サービス能力記録を決定するための前記手段は、
Ｄ２Ｄ近接サービス通信に関連する１つまたは複数の近接サービス通信パラメータを決定するための手段をさらに備える、請求項３０に記載の装置。
【請求項３２】
前記１つまたは複数の近接サービスパラメータが、Ｄ２Ｄ発見タイプ能力、非同期Ｄ２Ｄ発見能力、カバレージ外発見能力、Ｄ２Ｄ通信モード能力、あるいはそれらの組合せのうちの１つまたは複数を備える、請求項３１に記載の装置。
【請求項３３】
前記近接サービス記録を決定するための前記手段は、
前記周波数帯域組合せパラメータを使用して前記非Ｄ２Ｄ通信のための第１の能力構成を決定するための手段と、
前記識別された１つまたは複数の周波数帯域に基づいて、前記非Ｄ２Ｄ通信のための第２の能力構成を決定するための手段とを備える、請求項２９に記載の装置。
【請求項３４】
ワイヤレス通信のためのコンピュータ実行可能なコードを記憶する非一時的コンピュータ可読媒体であって、前記コードは、
デバイスツーデバイス（Ｄ２Ｄ）近接サービス通信のために構成された１つまたは複数の周波数帯域を識別することと、
前記識別された１つまたは複数の周波数帯域に基づいて、前記識別された１つまたは複数の周波数帯域に関連する通信能力を示す近接サービス記録を、周波数帯域組合せパラメータに少なくとも部分的に基づいて、決定することであって、前記周波数帯域組合せパラメータは非Ｄ２Ｄ通信のために利用可能な１つまたは複数の周波数帯域の組合せに関連し、ここにおいて、前記近接サービス記録は、Ｄ２Ｄ近接サービス通信がアクティブであるときに利用可能な非Ｄ２Ｄ通信機能を示す、決定することと、
サービングセルに前記近接サービス記録を送信することとを行うようにプロセッサによって実行可能である、非一時的コンピュータ可読媒体。
【請求項３５】
サービングセルにおいて、周波数帯域組合せパラメータに少なくとも部分的に基づくデバイスツーデバイス（Ｄ２Ｄ）近接サービス通信のために構成された１つまたは複数の周波数帯域に関連する通信能力を示す近接サービス記録を受信することであって、前記周波数帯域組合せパラメータはモバイルデバイスのための非Ｄ２Ｄ通信のために利用可能な１つまたは複数の周波数帯域の組合せに関連し、ここにおいて、前記近接サービス記録は、Ｄ２Ｄ近接サービス通信がアクティブであるときに前記モバイルデバイスのために利用可能な非Ｄ２Ｄ通信機能を示す、受信することと、
前記近接サービス記録に基づいて、前記モバイルデバイスの非Ｄ２Ｄ通信のための能力構成を決定することとを備える、ワイヤレス通信のための方法。
【請求項３６】
前記近接サービス記録は、前記周波数帯域組合せパラメータについての能力低減記録を備える、請求項３５に記載の方法。
【請求項３７】
前記能力低減記録は、Ｄ２Ｄ近接サービス通信に関連する１つまたは複数の周波数帯域のうちの少なくとも１つが使用中であるときの低減された非Ｄ２Ｄ通信能力を示す情報を備える、請求項３６に記載の方法。
【請求項３８】
前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、請求項３７に記載の方法。
【請求項３９】
前記モバイルデバイスから、Ｄ２Ｄ近接サービス通信がアクティブであるという開始メッセージを受信することをさらに備える、請求項３５に記載の方法。
【請求項４０】
前記開始メッセージは、前記周波数帯域組合せパラメータについての更新された近接サービス記録をさらに備え、前記更新された近接サービス記録は、前記アクティブなＤ２Ｄ近接サービス通信のために使用される１つまたは複数の周波数帯域に基づく、請求項３９に記載の方法。
【請求項４１】
前記Ｄ２Ｄ近接サービス通信がアクティブであることに基づいて、非Ｄ２Ｄ通信のための低減された能力を決定することをさらに備える、請求項３９に記載の方法。
【請求項４２】
前記モバイルデバイスから、Ｄ２Ｄ近接サービス通信が非アクティブであるという停止メッセージを受信することをさらに備える、請求項３５に記載の方法。
【請求項４３】
前記停止メッセージは、前記周波数帯域組合せパラメータについての更新された近接サービス記録をさらに備え、前記更新された近接サービス記録は、前記非アクティブなＤ２Ｄ近接サービス通信により利用可能である、Ｄ２Ｄ近接サービス通信に関連する１つまたは複数の周波数帯域に基づく、請求項４２に記載の方法。
【請求項４４】
前記Ｄ２Ｄ近接サービス通信が非アクティブであることに基づいて、非Ｄ２Ｄ通信のための完全能力構成を決定することをさらに備える、請求項４２に記載の方法。
【請求項４５】
前記近接サービス記録に基づいて、前記モバイルデバイスのための１つまたは複数のリソースをスケジュールすることをさらに備える、請求項３５に記載の方法。
【請求項４６】
前記近接サービス記録を示す前記情報は、前記モバイルデバイスから受信される、請求項３５に記載の方法。
【請求項４７】
前記近接サービス記録を示す前記情報は、ネットワークエンティティから受信される、請求項３５に記載の方法。
【請求項４８】
近接サービス周波数帯域リストと、１つまたは複数の近接サービス通信パラメータとを示す情報を備える近接サービス能力記録を受信することをさらに備える、請求項３５に記載の方法。
【請求項４９】
前記１つまたは複数の近接サービスパラメータは、Ｄ２Ｄ発見タイプ能力と、非同期Ｄ２Ｄ発見能力と、カバレージ外発見能力と、Ｄ２Ｄ通信モード能力とのうちの１つまたは複数を備える、請求項４８に記載の方法。
【請求項５０】
プロセッサと、
前記プロセッサと電子通信しているメモリと、
前記メモリに記憶されている命令とを備え、前記命令は、
サービングセルにおいて、周波数帯域組合せパラメータに少なくとも部分的に基づくデバイスツーデバイス（Ｄ２Ｄ）近接サービス通信のために構成された１つまたは複数の周波数帯域に関連する通信能力を示す近接サービス記録を受信することであって、前記周波数帯域組合せパラメータはモバイルデバイスのための非Ｄ２Ｄ通信のために利用可能な１つまたは複数の周波数帯域の組合せに関連し、ここにおいて、前記近接サービス記録は、Ｄ２Ｄ近接サービス通信がアクティブであるときに前記モバイルデバイスのために利用可能な非Ｄ２Ｄ通信機能を示す、受信することと、
前記近接サービス記録に基づいて、前記モバイルデバイスの非Ｄ２Ｄ通信のための能力構成を決定することとを行うように前記プロセッサによって実行可能である、ワイヤレス通信のための装置。
【請求項５１】
前記近接サービス記録は、前記周波数帯域組合せパラメータについての能力低減記録を備える、請求項５０に記載の装置。
【請求項５２】
前記能力低減記録は、Ｄ２Ｄ近接サービス通信に関連する１つまたは複数の周波数帯域のうちの少なくとも１つが使用中であるときの低減された非Ｄ２Ｄ通信能力を示す情報を備える、請求項５１に記載の装置。
【請求項５３】
前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、請求項５１に記載の装置。
【請求項５４】
前記モバイルデバイスから、Ｄ２Ｄ近接サービス通信がアクティブであるという開始メッセージを受信することを行うように前記プロセッサによって実行可能な命令をさらに備える、請求項５０に記載の装置。
【請求項５５】
前記開始メッセージは、前記周波数帯域組合せパラメータについての更新された近接サービス記録をさらに備え、前記更新された近接サービス記録は、前記アクティブなＤ２Ｄ近接サービス通信のために使用される１つまたは複数の周波数帯域に基づく、請求項５４に記載の装置。
【請求項５６】
前記Ｄ２Ｄ近接サービス通信がアクティブであることに基づいて、非Ｄ２Ｄ通信のための低減された能力を決定することを行うように前記プロセッサによって実行可能な命令をさらに備える、請求項５４に記載の装置。
【請求項５７】
前記モバイルデバイスから、Ｄ２Ｄ近接サービス通信が非アクティブであるという停止メッセージを受信することを行うように前記プロセッサによって実行可能な命令をさらに備える、請求項５０に記載の装置。
【請求項５８】
前記停止メッセージは、前記周波数帯域組合せパラメータについての更新された近接サービス記録をさらに備え、前記更新された近接サービス記録は、前記非アクティブなＤ２Ｄ近接サービス通信により利用可能である、Ｄ２Ｄ近接サービス通信に関連する１つまたは複数の周波数帯域に基づく、請求項５７に記載の装置。
【請求項５９】
前記Ｄ２Ｄ近接サービス通信が非アクティブであることに基づいて、非Ｄ２Ｄ通信のための完全能力構成を決定することを行うように前記プロセッサによって実行可能な命令をさらに備える、請求項５７に記載の装置。
【請求項６０】
前記近接サービス記録に基づいて、前記モバイルデバイスのための１つまたは複数のリソースをスケジュールすることを行うように前記プロセッサによって実行可能な命令をさらに備える、請求項５０に記載の装置。
【請求項６１】
サービングセルにおいて、周波数帯域組合せパラメータに少なくとも部分的に基づくデバイスツーデバイス（Ｄ２Ｄ）近接サービス通信のために構成された１つまたは複数の周波数帯域に関連する通信能力を示す近接サービス記録を受信するための手段であって、前記周波数帯域組合せパラメータはモバイルデバイスのための非Ｄ２Ｄ通信のために利用可能な１つまたは複数の周波数帯域の組合せに関連し、ここにおいて、前記近接サービス記録は、Ｄ２Ｄ近接サービス通信がアクティブであるときに前記モバイルデバイスのために利用可能な非Ｄ２Ｄ通信機能を示す、受信するための手段と、
前記近接サービス記録に基づいて、前記モバイルデバイスの非Ｄ２Ｄ通信のための能力構成を決定するための手段とを備える、ワイヤレス通信のための装置。
【請求項６２】
前記近接サービス記録は、前記周波数帯域組合せパラメータについての能力低減記録を備える、請求項６１に記載の装置。
【請求項６３】
前記能力低減記録は、Ｄ２Ｄ近接サービス通信に関連する１つまたは複数の周波数帯域のうちの少なくとも１つが使用中であるときの低減された非Ｄ２Ｄ通信能力を示す情報を備える、請求項６２に記載の装置。
【請求項６４】
前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、請求項６３に記載の装置。
【請求項６５】
前記モバイルデバイスから、Ｄ２Ｄ近接サービス通信がアクティブであるという開始メッセージを受信するための手段をさらに備える、請求項６１に記載の装置。
【請求項６６】
ワイヤレス通信のためのコンピュータ実行可能なコードを記憶する非一時的コンピュータ可読媒体であって、前記コードは、
サービングセルにおいて、周波数帯域組合せパラメータに少なくとも部分的に基づくデバイスツーデバイス（Ｄ２Ｄ）近接サービス通信のために構成された１つまたは複数の周波数帯域に関連する通信能力を示す近接サービス記録を受信することであって、前記周波数帯域組合せパラメータはモバイルデバイスのための非Ｄ２Ｄ通信のために利用可能な１つまたは複数の周波数帯域の組合せに関連し、ここにおいて、前記近接サービス記録は、Ｄ２Ｄ近接サービス通信がアクティブであるときに前記モバイルデバイスのために利用可能な非Ｄ２Ｄ通信機能を示す、受信することと、
前記近接サービス記録に基づいて、前記モバイルデバイスの非Ｄ２Ｄ通信のための能力構成を決定することとを行うようにプロセッサによって実行可能である、非一時的コンピュータ可読媒体。